(57)【要約】【課題】  一体型アンテナを有する窓を提供する。【解決手段】円形偏波ＲＦ信号を受信及び又は送信するパッチアンテナが、互いに略平行に配置される第１放射層及び第２放射層を含む。各放射層は、一対の摂動特徴を定める。グランドプレーン層が、第１及び第２放射層の下に配置される。アンテナはまた、フィードライン層を含み、フィードライン層は、平面内導波路として実装され且つ第１及び第２放射層間に配置される。フィードライン層により、単一の送信線でアンテナへ接続でき、且つ第１及び第２放射層を、電磁的に送信線へ接続できる。複数の誘電体層が、複数の放射層、フィードライン層、及びグランドプレーン層を隔てる。【選択図】図２
2007251936.tif 000002
【特許請求の範囲】
【請求項１】
一体型アンテナを有する窓であって：
非導電性ペインと；
該非導電性ペインに配置され且つ少なくとも１つの摂動特徴を定める第１放射層と；
該第１放射層と略平行に且つ当該第１放射層から離れて配置され、且つ少なくとも１つの摂動特徴を定める、第２放射層と；
単一の送信線の接続のため且つ前記の第１及び第２放射層を前記送信線へ電磁的に接続するために、前記の第１及び第２放射層と略平行に、前記の第１及び第２放射層から離れて、且つ前記の第１及び第２放射層間に配置される、フィードライン層と；
を有する、
一体型アンテナを有する窓。
【請求項２】
前記非導電性ペインは、ガラスペインとして更に定められる、
請求項１記載の窓。
【請求項３】
前記ガラスペインは、自動車両ガラスとして更に定められる、
請求項２記載の窓。
【請求項４】
前記自動車両ガラスは、ソーダ石灰シリカガラスとして更に定められる、
請求項３記載の窓。
【請求項５】
前記非導電性ペインは、前記第１及び第２放射層及び前記フィードライン層を保護するレードームとして更に定められる、
請求項１記載の窓。
【請求項６】
前記フィードライン層は、前記フィードライン層の内部に延在するスロットを定め且つ前記フィードライン層を第１領域及び第２領域に分ける平面内導波路として更に定められる、
請求項１記載の窓。
【請求項７】
前記の各摂動特徴は、所望の周波数範囲及び無線周波（ＲＦ）信号の軸比と対応する１つの寸法を少なくとも定める、
請求項１記載の窓。
【請求項８】
前記第１放射層及び前記第２放射層は、互いに略同一である、
請求項１記載の窓。
【請求項９】
前記第２放射層は、前記第１放射層に関して約９０°回転可能にオフセットする、
請求項８記載の窓。
【請求項１０】
前記の各放射層は一対の摂動特徴を定める、
請求項１記載の窓。
【請求項１１】
前記の各放射層の前記一対の摂動特徴の各摂動特徴は互いに対向して配置される、
請求項１０記載の窓。
【請求項１２】
前記の第１及び第２放射層と略平行に配置され、且つ前記第２放射層によって前記第１放射層及び前記フィードライン層から隔てられる、グランドプレーン層、
を更に有する、
請求項１記載の窓。
【請求項１３】
アンテナであって：
少なくとも１つの摂動特徴を定める第１放射層と；
該第１放射層と略平行に且つ当該第１放射層から離れて配置され、且つ少なくとも１つの摂動特徴を定める、第２放射層と；
単一の送信線の接続のため且つ前記第１及び第２放射層を前記送信線へ電磁的に接続するために、前記の第１及び第２放射層と略平行に、前記の第１及び第２放射層から離れて、且つ前記の第１及び第２放射層間に配置される、フィードライン層と；
を有する、
アンテナ。
【請求項１４】
前記フィードライン層は、前記フィードライン層の内部に延在するスロットを定め且つ前記フィードライン層を第１領域及び第２領域に分ける平面内導波路として更に定められる、
請求項１３記載のアンテナ。
【請求項１５】
前記の各摂動特徴は、所望の周波数範囲及び無線周波（ＲＦ）信号の軸比と対応する１つの寸法を少なくとも定める、
請求項１３記載のアンテナ。
【請求項１６】
前記第１放射層及び前記第２放射層は、互いに略同一である、
請求項１３記載のアンテナ。
【請求項１７】
前記第１放射層及び前記第２放射層は、互いに同一である、
請求項１６記載のアンテナ。
【請求項１８】
前記第２放射層は、前記第１放射層に関して約９０°回転可能にオフセットする、
請求項１６記載のアンテナ。
【請求項１９】
前記の各放射層は一対の摂動特徴を定める、
請求項１３記載のアンテナ。
【請求項２０】
前記の各放射層の前記一対の摂動特徴の各摂動特徴は互いに対向して配置される、
請求項１９記載のアンテナ。
【請求項２１】
前記の各第１及び第２放射層は円形形状を定める、
請求項１３記載のアンテナ。
【請求項２２】
前記の各第１及び第２放射層は矩形形状を定める、
請求項１３記載のアンテナ。
【請求項２３】
前記の第１及び第２放射層の１つは周辺部及び中心部を含み、且つ前記の第１及び第２放射層の１つの前記少なくとも１つの摂動特徴は、前記周辺部から前記中心部へと内向きに突出するノッチとして更に定められる、
請求項１３記載のアンテナ。
【請求項２４】
前記の第１及び第２放射層の１つは周辺部及び中心部を含み、且つ前記の第１及び第２放射層の１つの前記少なくとも１つの摂動特徴は、前記中心部から離れた前記周辺部から外向きに突出するタブとして更に定められる、
請求項１３記載のアンテナ。
【請求項２５】
前記の第１及び第２放射層の１つの前記少なくとも１つの摂動特徴は、前記の第１及び第２放射層のうち前記１つ内に完全に閉ざされる開口として更に定められる、
請求項１３記載のアンテナ。
【請求項２６】
前記の第１及び第２放射層の１つの中心部を通って、且つ前記の第１及び第２放射層の前記少なくとも１つの摂動特徴の中間点を通って定められる軸線、
を更に含み、且つ
前記の第１及び第２放射層の前記少なくとも１つは、概して前記軸線周りに対称である、
請求項１３記載のアンテナ。
【請求項２７】
前記第１放射層と前記フィードライン層との間に挟まれる第１誘電体層、
を更に有する、
請求項１３記載のアンテナ。
【請求項２８】
前記フィードライン層と前記第２放射層との間に挟まれる第２誘電体層、
を更に有する、
請求項２７記載のアンテナ。
【請求項２９】
前記の第１及び第２放射層と略平行に配置され、且つ前記第２放射層によって前記第１放射層及び前記フィードライン層から隔てられる、グランドプレーン層、
を更に有する、
請求項２８記載のアンテナ。
【請求項３０】
前記第２誘電体層と前記グランドプレーン層との間に挟まれる第３誘電体層、
を更に有する、
請求項２９記載のアンテナ。
【発明の詳細な説明】
【技術分野】
【０００１】
本発明は、アンテナに係り、具体的にはマイクロストリップパッチアンテナに係る。マイクロストリップパッチアンテナは、円形偏波の無線周波（ＲＦ）信号を送信及び／又は受信する。
【背景技術】
【０００２】
円形偏波のＲＦ信号を受信するパッチアンテナが、当該技術分野ではよく知られている。かかるアンテナの一例が、Delestreに付与された米国特許第５，２７０，７２２号明細書（特許文献１）にて開示されている。特許文献１は、第１放射層及び第２放射層を含むアンテナについて開示し、第１放射層及び第２放射層は、互いに略平行に且つ互いから離れて配置される。各放射層は、ほとんど正方形形状といってよいが、２つの対向側部が、僅かに凹んでいる（もう一方の２つの対向側部は、直線状である）。第２放射層は、第１放射層に関して、第２放射層の凹側面が、第１放射層の直線面と整列するように９０°回転され、且つ逆の場合も同様である。第１送信線が、第１放射層の直線面のうち１つの中心部へ接続され、且つ第２送信線が、第２放射層の直線面のうち１つの中心部へ接続される。第２放射層の２つの側部は凹側面であるので、第１送信線は、第２放射層と接触することなく、第１放射層に垂直に接近できる。
【０００３】
特許文献１のアンテナは、円形偏波のＲＦ信号を受信及び又は送信できるものの、アンテナは、アンテナに給電するために一対の送信線を必要とする。
【特許文献１】米国特許第５，２７０，７２２号明細書
【発明の開示】
【発明が解決しようとする課題】
【０００４】
本発明は、送信線を一本のみ要する、２つの放射層を有するパッチアンテナを提供することを目的とする。
【課題を解決するための手段】
【０００５】
本発明は、アンテナを提供し、アンテナは、少なくとも１つの摂動特徴を定める第１放射層を含む。第２放射層が、第１放射層と略平行に且つ第１放射層から離れて配置される。第２放射層は、少なくとも１つの摂動特徴を定める。アンテナは、フィードライン層を更に含み、フィードライン層は、第１及び第２放射層と略平行に、第１及び第２放射層から離れて、且つ第１及び第２放射層間に配置される。フィードライン層のおかげで、単一の送信線でアンテナへ接続でき、且つ第１及び第２放射層を、電磁的に送信線へ接続できる。
【０００６】
本発明のアンテナは、一本の送信線のみで、受信機へのＲＦ信号の送信及び／又は送信機からのＲＦ信号の送信を可能にする。単一の送信線を実装することにより、コスト節約及び従来技術のアンテナでの複雑性の低減を提供する。明らかに、この利点は、ＲＦ信号を衛星から受信するための一対の放射層を有する円偏波アンテナの一層の活用を提供する。
【発明を実施するための最良の形態】
【０００７】
本発明の他の利点は、以下の詳細な説明を参照することにより、添付の図面と関連付けて考察するときに、より良く理解されるであろう。
【０００８】
図面を参照すると、同様の数字は、複数の図面を通じて対応するパーツを示す。アンテナが、概して符号１０で示される。好ましい実施形態において、アンテナ１０は、円形偏波のＲＦ信号を、衛星から受信するために利用される。当業者であれば、アンテナ１０はまた、円形偏波のＲＦ信号を送信するために使用できることを理解されよう。具体的には、アンテナ１０の好ましい実施形態は、左旋円偏波（ＬＨＣＰ）のＲＦ信号を受信し、左旋円偏波（ＬＨＣＰ）ＲＦ信号は、衛星デジタルオーディオラジオサービス（ＳＤＡＲＳ）プロバイダであるＸＭ（商標）衛星ラジオ又はＳＩＲＩＵＳ（商標）衛星ラジオ等によって生成される。しかしながら、アンテナ１０はまた、右旋円偏波（ＲＨＣＰ）のＲＦ信号を受信してもよいことを理解されたい。更に、アンテナ１０はまた、直線偏波のＲＦ信号を送信又は受信するために利用されてもよい。
【０００９】
図１を参照すると、アンテナ１０は、好ましくは車両１４の窓１２と一体化されている。この窓１２は、後部窓（バックライト）１２、前方の窓１２（フロントガラス）、又は車両１４の如何なる他の窓１２であってもよい。アンテナ１０はまた、車両１４とは全く別の、他の状況において実装されてもよく、たとえば建造物に実装されるか又は無線受信機（図示せず）等に組み込まれてもよい。好ましい実施形態の窓１２は、少なくとも１つの非導電性のペイン（pane）１６を含む。用語「非導電性」とは、絶縁体又は誘電体といった材料が、異なった電位の導体間で設置されるとき、印加された電圧と同相の僅かな又は無視できるほどの電流のみが、その材料を通じて流れることができることである。典型的には、非導電性材料は、ナノジーメンス／メートルのオーダーの伝導率を有する。
【００１０】
好ましい実施形態において、非導電性ペイン１６は、少なくとも１つのガラスペイン１８として実装される。当然、窓１２は、１つより多いガラスペイン１８を含んでもよい。当業者であれば、自動車両の窓１２、特にフロントガラスが、ポリビニルブチラール（ＰＶＤ）の層を挟んだ２つのガラスペインを含んでもよいことを理解されよう。
【００１１】
ガラスペイン１８は、好ましくは自動車両のガラスであり、且つより好ましくはソーダ石灰シリカガラスである。ガラスペイン１８は、１．５〜５．０ｍｍ厚、好ましくは３．１ｍｍを定める。ガラスペイン１８はまた、５〜９、好ましくは７の比誘電率を有する。しかしながら当業者であれば、非導電性ペイン１６は、プラスチック、ガラス繊維、又は他の適切な非導電性材料から形成されてもよいことを、理解されよう。
【００１２】
次に図２及び図３を参照すると、非導電性ペイン１６は、アンテナにとってのレードームとして機能する。すなわち、非導電性ペイン１６は、アンテナ１０の他の構成部品を、以下に詳細に説明するように、車両１４の外側に存在する湿気、風、埃等から保護する。
【００１３】
アンテナ１０は、少なくとも１つの摂動特徴２２（perturbation  feature）を定める第１放射層２０を有する。好ましい実施形態において、第１放射層２０は、非導電性ペイン１６上に配置される。第１放射層２０はまた、一般に当業者によって「パッチ」又は「パッチエレメント」と呼ばれる。第１放射層２０は、導電性材料から形成される。好ましくは、第１放射エレメントは、非導電性ペイン１６に直接配置され、且つ当業者に知られている焼成技術によって硬化される導電性材料として、銀ペーストを有する。代替的に、第1放射層２０は、銅又はアルミニウムのような金属の平坦な部片を有することができ、部片は、接着剤を用いて非導電性ペイン１６へ接着される。
【００１４】
アンテナ１０はまた、第２放射層２４を含み、第２放射層２４は、少なくとも１つの摂動特徴２２をまた定める。第２放射層２４は、第１放射層２０と略平行に且つ第１放射層２０から離れて配置される。第１放射層２０と同様、第２放射層２４もまた、一般に当業者によって「パッチ」又は「パッチエレメント」と呼ばれ、且つ導電性材料から形成される。
【００１５】
各第１放射層２０及び第２放射層２４は、周辺部及び中心部を含む。第１放射層２０及び第２放射層２４の周辺部は、多くの形状のうち１つを定めることができる。たとえば、第１放射層２０及び第２放射層２４は、図４Ａ、図４Ｂ、図４Ｃ、図４Ｄ、図４Ｉ及び図４Ｊに示されるように、円形形状を定めてもよい。代替的に、図４Ｅ、図４Ｆ、図４Ｇ、図４Ｈ、図４Ｋ、及び図４Ｌを参照すると、第１放射層２０及び第２放射層２４は、矩形形状、又はより具体的には正方形形状を定めてもよい。当業者であれば、第１放射層２０及び第２放射層２４が、他の形状を定めてもよいことを認識するであろう。更に、第１放射層２０は、第２放射層２４とは異なる形状を有してもよい。たとえば、第１放射層２０は、図４Ｊに示されるような円形形状を有してもよく、且つ第２放射層２４は、図４Ｋに示されるような矩形形状を有していてもよい。しかしながら、好ましい実施形態において、第１放射層２０及び第２放射層２４は、略同じ形状を有する。第１放射層２０及び第２放射層２４が同一の形状及びサイズを有することによって、結果として、１つのサイズ及び形状で放射層２０、２４の両方を生産すればよいことから、大量生産コストの節約となる。
【００１６】
各第１放射層２０及び第２放射層２４の摂動特徴２２の少なくとも１つが、放射エレメントによって放射された電磁場において、「擾乱」を引き起こす。摂動特徴２２は、種々の量、構成、形状、及び位置において具現化され得る。図４Ｌを参照すると、放射層は、単一の摂動特徴２２を有してもよい。しかしながら、典型的には、図４Ａ〜図４Ｋにおいて示されるように、各放射層２０、２４は、一対の摂動特徴２２を定める。一対の摂動特徴２２の各々は、好ましくは互いに対向して配置される。しかしながら、各摂動特徴２２は、互いに対向しない場所で配置されてもよい。更に、当業者であれば、各放射エレメントが、２つより多い摂動特徴２２を定めてもよいことを理解されよう。
【００１７】
図４Ａ，図４Ｃ，図４Ｅ，図４Ｆ，図４Ｇを参照すると、放射層２０、２４のうち１つの少なくとも１つの摂動特徴２２が、ノッチとして実装され、ノッチは、好ましくは周辺部から中心部へと内向きに突出する。当然、ノッチは、放射層の精確な中心部へと突出する必要はなく、単に内向きである。放射層２０、２４のうち１つの少なくとも１つの摂動特徴２２はまた、図４Ｂ、図４Ｄ、及び図４Ｈに示すように、中心部から離れて周辺部から外向きに突出するタブとして実装されてもよい。同様に、タブは、放射層の精確な中心部から外向きに突出する必要はない。また、図４Ｉ乃至図４Ｌに示されるように、少なくとも１つの摂動特徴２２を、放射層２０、２４のうち１つ内に完全に閉ざされる開口として定めてもよい。当業者であれば、摂動特徴２２についての上述したノッチ、タブ、及び開口以外の他の構成を理解されよう。
【００１８】
図４Ａ、図４Ｂ及び図４Ｉを参照すると、摂動特徴２２は、構成（ノッチ、タブ、空隙、又はその他）に拘わらず、三角形形状を定めてもよい。図４Ｃ、図４Ｄ、図４Ｆ、図４Ｇ、図４Ｈ、図４Ｊ、図４Ｋ、及び図４Ｌに示されるように、摂動特徴２２はまた、矩形形状を定めてもよい。図４Ｅを参照すると、摂動特徴２２は、矩形形状の放射エレメントの角部の切欠として実装されてもよい。当業者であれば、摂動特徴２２についての他の適切な形状を理解されよう。
【００１９】
放射層２０、２４の少なくとも１つの摂動特徴２２は、所望の周波数範囲及び受信され且つ／又は送信されているＲＦ信号の軸比と対応する１つの寸法を少なくとも定める。好ましくは、アンテナ１０の軸比は、水平偏波及び垂直偏波が、大体等しくなるような約０ｄＢである。
【００２０】
図４Ａ乃至図４Ｌを参照すると、軸線２６が、放射層２０、２４の中心を通って、且つ少なくとも１つの摂動特徴２２の中間点を通って定められることができる。好ましくは、各放射層は、概してこの軸線２６周りに対称である。この対称性が、好ましい軸比である約０ｄＢの提供を援助する。しかしながら、当業者であれば、アンテナ１０は、特に異なった軸比が望まれたとき、軸線２６周りに対称である放射層２０、２４なしで実装されてもよいことを理解されよう。
【００２１】
図２を再度参照すると、好ましい実施形態において、第１放射層２０及び第２放射層２４は、構成、形状、寸法、摂動特徴２２の配置等において互いに略同一である。最も好ましくは、第１放射層２０及び第２放射層２４は、互いに全く同一であることである。しかしながら、０ｄＢに近い軸比の円形偏波を達成するためには、第２放射層２４が、第１放射層２０に関して約９０°回転可能にオフセットすることが好ましい。
【００２２】
アンテナ１０はまた、フィードライン層２８を含み、フィードライン層２８は、放射層２０、２４と略平行に、放射層２０、２４から離れて、且つ放射層２０、２４間に配置される。フィードライン層２８は、単一の送信線３０の接続を可能にする。それゆえ、フィードライン層２８は、放射層２０、２４両方を送信線３０へ電磁的に接続して、放射層２０、２４の両方が、単一の送信線３０によって給電されることができるようにする。したがって、アンテナ１０の複雑性及びコストは、一対の送信線を必要とする従来技術のアンテナ１０より低減する。
【００２３】
好ましい実施形態において、図５を参照すると、フィードライン層２８は、平面内導波路３２として実装される。平面内導波路３２は、平面内導波路３２中へと延在するスロット３４を定め、スロット３４は、フィードライン層２８を、第１領域３６及び第２領域３８へと分ける。送信線３０は、好ましくは同軸ケーブルであり、同軸ケーブルは、中央導線４０及び外方のシールド導線４２を有する。中央導線４０は、第１領域３６へ電気的に接続され、且つシールド導線は、第２領域３８へ電気的に接続される。
【００２４】
平面内導波路３２は、好ましくは矩形形状であり、且つ最も好ましくは正方形形状である。第１領域３６は、好ましくは、近心端及び遠心端を有する矩形形状である。第１領域３６の遠心端は、好ましくは第１放射層２０及び第２放射層２４の中央の上下に配置される。当然、当業者であれば、平面内導波路３２の他の適切な形状及び寸法を理解されよう。更に、平面内導波路３２の形状及び寸法は、調節されてもよく、それによりアンテナ１０を同調させて、インピーダンスマッチング及び他の性能特徴を最適化する。
【００２５】
好ましい実施形態において、アンテナ１０は、グランドプレーン層４４を含む。グランドプレーン層４４は、放射層２０、２４と略平行に配置され、且つ第２放射層２４によって、第１放射層２０及びフィードライン層２８から隔てられる。換言すると、グランドプレーン層４４は、放射層２０、２４の下に配置され且つ非導電性ペイン１６から最も離れている。グランドプレーン層４４は、ＲＦ信号を、（受信時に）放射エレメントへと方向付けるか、或いは（送信時に）放射エレメントから離して方向付ける補助をする。
【００２６】
図２及び図３を再度参照すると、好ましい実施形態において、アンテナ１０は、第１誘電体層４６を含み、第１誘電体層４６は、第１放射層２０とフィードライン層２８との間に挟まれる。第２誘電体層４８は、好ましくはフィードライン層２８と第２放射層２４との間に挟まれる。また、好ましくは、第３誘電体層５０が、第２放射層２４とグランドプレーン層４４との間に挟まれる。
【００２７】
誘電体層４６、４８、５０は、非導電性材料で形成され、且つ放射層２０、２４、フィードライン層２８、及びグランドプレーン層４４を、互いから絶縁させる。したがって、放射層２０、２４、フィードライン層２８、及びグランドプレーン層４４は、導電性材料によって互いに電気的に接続されない。当業者であれば、誘電体層４６、４８、５０は、空気のような非導電性流体で形成されてもよいことが理解されよう。
【００２８】
各誘電体層４６、４８、５０は、同じ比誘電率を有してもよい。更に、３つの誘電体層４６、４８、５０は、均一の比誘電率を有する誘電体材料の単一の部片で形成されてもよい。代替として、各誘電体層４６、４８、５０は、異なった比誘電率を有してもよい。更に、各誘電体層４６、４８、５０は、均一でなくともよい。均一でないとは、すなわち、誘電体層に沿った異なった地点で、異なった比誘電率を有することである。
【００２９】
好ましい実施形態において、図３に示すように、フィードライン層２８は、縁部が、第１誘電体層４６及び第２誘電体層４８の縁部を過ぎて延在するような寸法にされ且つ位置付けられる。このことによって、送信線３０がフィードライン層２８へアクセスし易い接続が可能になり、送信線３０を、誘電体層４６、４８、５０における穴を通じて通す必要がなくなる。
【００３０】
アンテナは、好ましい実施形態の１つの実装において、約２，３３８ＭＨｚの共振周波数で動作するために構成され、この共振周波数は、ＸＭ（商標）衛星ラジオによって用いられる中心周波数と対応する。当業者であれば、アンテナ１０は、異なった周波数範囲における異なったアプリケーションに対応する他の実装のために構成されてもよいことを理解されよう。たとえば、アンテナ１０は、５．８ＧＨｚ帯におけるＥＴＣ（高速道路通行料の自動料金収受システム）アプリケーションのために構成されてもよい。
【００３１】
１つの実装において、図４Ｅに示されているように、各放射層２０、２４は、正方形形状であり、角部の先を切り欠いている。各放射層２０、２４の対向側は、約３２〜３５ｍｍだけ隔てられる。しかしながら、摂動特徴、すなわち切欠が、各側から約２〜３ｍｍを除去する。したがって、各放射層２０、２４の各側は、約３０〜３３ｍｍの長さを定め、且つ摂動特徴は、約３〜４ｍｍの長さを定める。
【００３２】
好ましい実施形態の１つの実装のフィードライン層２８はまた、正方形形状であり、各側部が、約６０ｍｍの長さを有する。上述したように、フィードライン層は、平面内導波路（coplanar  wave  guide）３２として実装される。スロット３４が、一方の側部から平面内導波路３２へと約３０ｍｍ延在し、且つ約０．２ｍｍの幅を有する。第１領域３６は、約４．５ｍｍの幅を定める。第１領域３６の遠位端が、放射層２０、２４に関して中央に揃えられているように、放射層２０、２４及びフィードライン層２８は、互いに関して中央に揃えられている。
【００３３】
１つの実装のグランドプレーン層４４はまた、正方形形状であり、約６０ｍｍの長さを有する各側部を備える。１つの実装の各誘電体層４６、４８、５０は、約１．６ｍｍ厚、０．００２２の誘電正接、及び２．６の比誘電率を有する。アンテナ１０の全体の厚さは、約４．８ｍｍである。
【００３４】
アンテナ１０の１つの実装は、２，３３８ＭＨｚの所望の共振周波数で優れた性能を提供する。アンテナ１０は、２３．７ｄＢの最大反射減衰量を、所望の共振周波数で提供する。更に、アンテナのＬＨＣＰゲインは、４．５ｄＢｉｃである一方で、所望でないＲＨＣＰゲインは、−２１．１ｄＢｉｃである。１つの実装の軸比は、２，３３８ＭＨｚで１．３６ｄＢである。
【００３５】
アンテナ１０は、アンテナモジュール（図示せず）において、増幅器（図示せず）のような他のＲＦデバイス（図示せず）とともに一体化されてもよい。増幅器は、アンテナ１０のフィードライン層２８へ近接し且つ／又は直接接続されてもよく、それにより増幅信号を生成する。したがって、増幅された信号は、増幅されていない信号よりも、ＲＦノイズ及び混信の影響を受けにくくなり、受信者にとって、よりエラーを起こしにくい信号を提供する。
【００３６】
本発明の多くの変更及び変形が、上記教示を鑑みて可能であることは明らかである。本発明は、添付の請求項の範囲内に具体的に説明されている通りの方法とは他の方法で、実施されてもよい。
【図面の簡単な説明】
【００３７】
【図１】車両のガラスペインによって支持されるアンテナを備えた車両の斜視図である。
【図２】アンテナの好ましい実施形態の分解斜視図である。
【図３】アンテナの好ましい実施形態の断面である側面図である。
【図４Ａ】アンテナの放射層の１つの平面図であり、当該アンテナの放射層は、三角形形状を有するノッチとして具現化されている一対の摂動特徴を備えた円形形状を有する。
【図４Ｂ】アンテナの放射層の１つの平面図であり、当該アンテナの放射層は、三角形形状を有するタブとして具現化されている一対の摂動特徴を備えた円形形状を有する。
【図４Ｃ】アンテナの放射層の１つの平面図であり、当該アンテナの放射層は、矩形形状を有するノッチとして具現化されている一対の摂動特徴を備えた円形形状を有する。
【図４Ｄ】アンテナの放射層の１つの平面図であり、当該アンテナの放射層は、矩形形状を有するタブとして具現化されている一対の摂動特徴を備えた円形形状を有する。
【図４Ｅ】アンテナの放射層の１つの平面図であり、当該アンテナの放射層は、放射層の対向する角部の切欠として具現化されている一対の摂動特徴を備えた矩形形状を有する。
【図４Ｆ】アンテナの放射層の１つの平面図であり、当該アンテナの放射層は、放射層の側部に概して平行する側部を備えた矩形形状を有するノッチとして具現化されている、一対の摂動特徴を備えた矩形形状を有する。
【図４Ｇ】アンテナの放射層の１つの平面図であり、当該アンテナの放射層は、放射層の側部に概して平行でない側部を備えた矩形形状を有するノッチとして具現化されている、一対の摂動特徴を備えた矩形形状を有する。
【図４Ｈ】アンテナの放射層の１つの平面図であり、当該アンテナの放射層は、矩形形状を有するタブとして具現化されている一対の摂動特徴を備えた矩形形状を有する。
【図４Ｉ】アンテナの放射層の１つの平面図であり、当該アンテナの放射層は、三角形形状を有する空隙として具現化されている一対の摂動特徴を備えた円形形状を有する。
【図４Ｊ】アンテナの放射層の１つの平面図であり、当該アンテナの放射層は、矩形形状を有する空隙として具現化されている一対の摂動特徴を備えた円形形状を有する。
【図４Ｋ】アンテナの放射層の１つの平面図であり、当該アンテナの放射層は、矩形形状を有する空隙として具現化されている一対の摂動特徴を備えた矩形形状を有する。
【図４Ｌ】アンテナの放射層の１つの平面図であり、当該アンテナの放射層は、矩形形状を有する空隙として具現化されている一対の摂動特徴を備えた矩形形状を有する。
【図５】図３の線５−５から取得した、アンテナのフィードライン層の平面図であり、且つ当該アンテナのフィードライン層は、スロットを中に定める平面内導波路として具現化される。
【符号の説明】
【００３８】
１０      アンテナ
１２      窓
１４      車両
１６      非導電性ペイン
１８      ガラスペイン
２０      第１放射層
２２      摂動特徴
２４      第２放射層
２６      軸線
２８      フィードライン層
３０      送信線
３２      平面内導波路
３４      スロット
３６      第１領域
３８      第２領域
４０      中央導線
４２      シールド導線
４４      グランドプレーン層
４６      第１誘電体層
４８      第２誘電体層
５０      第３誘電体層
【図１】
2007251936.tif 000003
【図２】
2007251936.tif 000004
【図３】
2007251936.tif 000005
【図４Ａ】
2007251936.tif 000006
【図４Ｂ】
2007251936.tif 000007
【図４Ｃ】
2007251936.tif 000008
【図４Ｄ】
2007251936.tif 000009
【図４Ｅ】
2007251936.tif 000010
【図４Ｆ】
2007251936.tif 000011
【図４Ｇ】
2007251936.tif 000012
【図４Ｈ】
2007251936.tif 000013
【図４Ｉ】
2007251936.tif 000014
【図４Ｊ】
2007251936.tif 000015
【図４Ｋ】
2007251936.tif 000016
【図４Ｌ】
2007251936.tif 000017
【図５】
2007251936.tif 000018